(57)【特許請求の範囲】
【請求項１】
開口端部（２３）を有し、内容物を内部に収容する容器本体（２０）と、該容器本体（２０）に冠着する蓋体（３０）とを備えた蓋付き容器にあって、
該容器本体（２０）は、該開口端部（２３）を取り囲む周壁（２２）の大径部（２２ｃ）から外方に向かって周設された容器側フランジ部（２４）と、該容器側フランジ部（２４）のいずれかの辺部から延在する容器孔（２６）を備えた保持部（２５）と、を有し、
該蓋体（３０）は、該開口端部（２３）を覆う頂壁部（３１）と、該頂壁部（３１）の周縁に設けられた蓋体側フランジ部（３４）と、該蓋体側フランジ部（３４）にヒンジ基部（３７ａ）を介して一体連結しているヒンジ部材（３７）と、を有し、
該ヒンジ基部（３７ａ）の近傍において、該ヒンジ基部（３７ａ）からの外縁部に窪み部（３７ｃ）が形成されており、該ヒンジ基部（３７ａ）の内周面には収納部（３３ａ）が形成されている
ことを特徴とする蓋付き容器。
【請求項２】
前記ヒンジ部材（３７）の中央部付近に蓋開閉回動の支点となるヒンジ溝部（３７ｂ）が設けられている請求項１に記載の蓋付き容器。
【請求項３】
前記窪み部（３７ｃ）の深さと前記収納部（３３ａ）の深さが、いずれも前記ヒンジ部材（３７）の厚みとほぼ同じである請求項１又は２に記載の蓋付き容器。
【請求項４】
前記窪み部（３７ｃ）の両端部の蓋側フランジ部（３４）上に、前記ヒンジ部材（３７）の折り込み状態を維持する第１係止片（３９ａ）が配置されている請求項１〜３のいずれかに記載の蓋付き容器。
【請求項５】
前記容器本体（２０）を挟んで前記ヒンジ部材（３７）と対称となる反対側の辺部に、タブ（３４ａ）を設けた請求項１〜４のいずれかに記載の蓋付き容器。
【請求項６】
前記ヒンジ部材（３７）の先端部にフック部（３８）を形成し、該フック部（３８）の先端から中央部にかけて外側に向かって徐々にテーパ状となっている請求項１〜５のいずれかに記載の蓋付き容器。
【請求項７】
前記収納部（３３ａ）の端部に第２係止片（３９ｂ）を形成した請求項１〜６のいずれかに記載の蓋付き容器。
【請求項８】
前記容器孔（２６）を設けた部分の大径部（２２ｃ）の周壁（２２）に、該大径部（２２ｃ）の一部が凹んだ切欠き部（２７）を形成した請求項１〜７のいずれかに記載の蓋付き容器。
【請求項９】
前記切欠き部（２７）を長辺部分の両側中央部に形成した請求項８に記載の蓋付き容器。
【発明の詳細な説明】
【技術分野】
【０００１】
本発明は、バター、マーガリン、ピーナッツバター等の食品を保存する蓋付き容器に関する。
【背景技術】
【０００２】
従来から、バター、マーガリン、ピーナッツバター等のペースト状食品は、合成樹脂製の容器に収容されていた。これら容器は、上方が開口した略箱型の容器本体と、容器本体の開口部を閉塞する蓋体とで構成されており、通常使用時には容器本体から蓋体を取り外し、テーブル上に蓋体を置くが、蓋体の背面についたペースト状食品でテーブルを汚すことなく、また蓋体を開けたときどこへ置くかを考慮しなくてもよいように、容器本体と蓋体との一部を着脱自在にヒンジ部材で連結してなるバター・マーガリン等の包装用容器が開示されている（例えば、特許文献１参照）。
【０００３】
この包装用容器にあっては、ヒンジ部材を用いて蓋体と容器本体を連結状態で開蓋する場合はよいものの、一般的な使用方法である蓋体と容器本体を分離して開蓋する際には蓋体のヒンジ部材と容器本体のヒンジ部材が接触し合い、開蓋の妨げとなっていることがあり、使い勝手を高めることに改善の余地があった。また、蓋体と容器本体を分離して開蓋する際にヒンジ部材が使用者の手や着衣に引っ掛かる等の潜在的な課題もあった。
【先行技術文献】
【特許文献】
【０００４】
【特許文献１】実開昭５８−１９４１８４号公報
【発明の概要】
【発明が解決しようとする課題】
【０００５】
本発明の目的は、上記した従来技術における課題をすることであり、蓋体と容器本体を連結状態で開蓋することができ、蓋体と容器本体を分離して開蓋する際にもヒンジ部材による開蓋の妨げを抑制し、使い勝手を高めた蓋付き容器を提供することである。
また、本発明の別の目的は、蓋体と容器本体を分離して開蓋する際にヒンジ部材が使用者の手や着衣に引っ掛かる恐れのない蓋付き容器を提供することである。
【課題を解決するための手段】
【０００６】
上記課題の解決手段として、本発明に係る蓋付き容器は、
開口端部を有し、内容物を内部に収容する容器本体と、容器本体に冠着する蓋体とを備えた蓋付き容器にあって、
容器本体は、開口端部を取り囲む周壁の大径部から外方に向かって周設された容器側フランジ部と、容器側フランジ部のいずれかの辺部から延在する容器孔を備えた保持部と、を有し、
蓋体は、開口端部を覆う頂壁部と、頂壁部の周縁に設けられた蓋体側フランジ部と、蓋体側フランジ部にヒンジ基部を介して一体連結しているヒンジ部材と、を有し、
ヒンジ基部の近傍において、該ヒンジ基部からの外縁部に窪み部が形成されており、ヒンジ基部の内周面には収納部が形成されていることを特徴とする。
【０００７】
この構成では、蓋体と容器本体を連結状態での蓋開閉はスムーズであり、蓋体と容器本体を分離して蓋開閉する際にもヒンジ部材による開閉の妨げは殆どなく、使い勝手が高い蓋付き容器を得ることができる。また、蓋体と容器本体を分離して蓋開閉する際には、ヒンジ部材が蓋体内周面に収納されるためヒンジ部材が使用者の手や着衣に引っ掛かる恐れはない。
【０００８】
また、本発明に係る別の蓋付き容器は、ヒンジ部材の中央部付近に蓋開閉回動の支点となるヒンジ溝部が設けられている。
【０００９】
上記構造では、ヒンジ溝部を支点とするヒンジ部材のスムーズな回動を達成し得る。
【００１０】
また、本発明に係る別の蓋付き容器は、窪み部の深さと収納部の深さがいずれもヒンジ部材の厚みとほぼ同じである。
【００１１】
上記構造では、窪み部の深さと収納部の深さがいずれもヒンジ部材の厚みとほぼ同じであることによって、ヒンジ部材折り込み時やヒンジ部材収納時に蓋側フランジ部や蓋体内周面と略面一にすることができ、蓋開閉回動動作をスムーズに実行することができる。
【００１２】
また、本発明に係る別の蓋付き容器は、窪み部の両端部の蓋側フランジ部上に、ヒンジ部材の折り込み状態を維持する第１係止片が配置されている。
【００１３】
上記構造では、第１係止片によってヒンジ部材の基部側を窪み部に係止することができ、ヒンジ部材として固定して使用することが可能となる。
【００１４】
また、本発明に係る別の蓋付き容器は、容器本体を挟んでヒンジ部材と対称となる反対側の辺部にタブを設けている。
【００１５】
上記構成では、ヒンジ部材と対称となる反対側の辺部にタブを形成したことによって、蓋開閉回動動作を簡単且つ確実に実行することができる。
【００１６】
また、本発明に係る別の蓋付き容器は、ヒンジ部材の先端部にフック部を形成し、フック部の先端から中央部にかけて外側に向かって徐々にテーパ状となっている。
【００１７】
上記構成では、フック部を容器孔により強固に係止することができフック部が不本意に容器孔から脱離することを抑制することが可能である。
【００１８】
また、本発明に係る別の蓋付き容器は、収納部の端部に第２係止片を形成している。
【００１９】
上記構造では、第２係止片を形成したことによってヒンジ部材を確実に収納部に係止することができる。
【００２０】
また、本発明に係る別の蓋付き容器は、容器孔を設けた部分の大径部の周壁に、大径部の一部が凹んだ切欠き部を形成している。
【００２１】
上記構成では、切欠き部によって蓋体をより確実に容器本体に冠着することができる。
【００２２】
更に、本発明に係る別の蓋付き容器は、切欠き部を長辺部分の両側中央部に形成している。
【００２３】
上記構成では、容器本体と蓋体とを分離使用する時にフック部と切欠き部の位置合わせに気に留めることなく使用することが可能となる。
【発明の効果】
【００２４】
本発明の上記した構成においては、以下に示す効果を奏する。
本発明では、蓋体と容器本体を連結状態での蓋開閉がスムーズに実行でき、蓋体と容器本体を分離して蓋開閉する際にもヒンジ部材による開閉の妨げは殆どなく、使い勝手をより高めることができる。更に、蓋体と容器本体を分離しての蓋開閉時には、ヒンジ部材が蓋体内周面に収納されるためヒンジ部材が使用者の手や着衣に引っ掛かり動作を妨げることがなくなった。
【図面の簡単な説明】
【００２５】
【図１】本発明に係る蓋付き容器を開蓋したときの平面図である。
【図２】蓋付き容器の容器本体の半断面図と蓋体の縦断面図である。
【図３】図３（ａ）は図１の蓋付き容器を閉蓋したときの平面図であり、図３（ｂ）はその時の半縦断面図である。
【図４】図４（ａ）は蓋付き容器のヒンジ部材を展開させるときの平面図であり、図４（ｂ）はヒンジ部材の側面図、図４（ｃ）は蓋付き容器のヒンジ部材を展開させるときの断面図である。
【図５】図５（ａ）はフックを容器孔に差し込んだときの平面図であり、図５（ｂ）はその時の縦断面図であり、図５（ｃ）は図５（ａ）のＶ−Ｖ線における横断面図である。
【図６】図６（ａ）はヒンジ部材を用いて閉蓋したときの平面図であり、図６（ｂ）はその時の縦断面図である。
【図７】図７（ａ）はヒンジ部材を蓋体内側に折り込み収納したときの平面図であり、図７（ｂ）はその時の縦断面図である。
【図８】図８（ａ）はヒンジ部材を収納したまま閉蓋したときの平面図であり、図８（ｂ）はその時の縦断面図である。
【発明を実施するための形態】
【００２６】
以下、本発明にかかる実施の形態について図面を参照しつつ説明する。
【００２７】
図１は本発明に係る蓋付き容器の開蓋したときの平面図であり、図２は蓋付き容器の容器本体の半断面図と蓋体の縦断面図であり、図３（ａ）は図１の蓋付き容器を閉蓋したときの平面図であり、図３（ｂ）は閉蓋における半縦断面図である。
本発明の蓋付き容器１０は、内容物が収容される容器本体２０と蓋体３０とを備えている。内容物としては、例えば、バター、マーガリン、ピーナッツバター、ジャム、チーズスプレッド等のクリーム状、固形状、液体状、粒状及び粉体等が挙げられる。
【００２８】
容器本体２０は、上方に向けて開口する角筒状の矩形状に形成されている。容器本体２０の底部２１において周縁部よりも内側に位置する部分は、上方に向かって窪んでいる。容器本体２０の周壁２２は、下側の小径部２２ａと上方の大径部２２ｃが段部２２ｂを介して連結されており、大径部２２ｃの上端開口面は容器本体２０の開口端部２３となっている。周壁２２の大径部２２ｃの下側周囲には、大径部２２ｃを囲うように外周方向に延出する容器側フランジ部２４が周設されている。容器側フランジ部２４のいずれかの辺部の下方には、後述のヒンジ部材３７を着脱自在にする、容器孔２６を備えた保持部２５が延在している。容器孔２６を設けた部分の大径部２２ｃの周壁２２には、後述する分離使用でヒンジ収納して閉蓋した際にフック部３８が大径部２２ｃに収まるように大径部２２ｃの一部を凹ませた切欠き部２７を設けることができる。
【００２９】
容器本体２０の開口端部２３を閉塞する蓋体３０は、容器本体２０の開口端部２３に対向する頂壁部３１と、この頂壁部３１の周縁から曲折する曲折部３２と、この曲折部３２から延伸して容器本体２０の大径部２２ｃの外周を覆い、蓋体３０の側壁を形成するように蓋体３０を一周するように帯状に設けられた帯状部３３とを備えている。帯状部３３の下端部には、囲うように外周方向に延出する蓋側フランジ部３４が突出形成されている。蓋側フランジ部３４には、蓋体３０の四つの隅部の一角に開蓋するために指先の掛けるためのタブ３４ａが平面視略三角形状に設けられている。帯状部３３における短辺側の中央部付近には、バターナイフの柄を容器の内外に通すためにフラップ状に折り曲げてナイフ口を出現させるための開封タブ３５が備えられている。この開封タブ３５の左右両側には、薄肉状に形成された弱化部３５ａが設けられており、この弱化部３５ａを切り離すことによって開封タブ３５は上向きに折り曲げることが可能となる。曲折部３２の内側には、蓋体３０を補強するためのリブ３６が形成されている。蓋側フランジ部３４のいずれかの辺部に蓋体３０と容器本体２０を連結状態で開閉回動自在するためのヒンジ部材３７を設け、このヒンジ部材３７の先端部に設けたフック部３８を容器本体２０の容器孔２６に挿入して、連結することができる。ヒンジ部材３７を設けたヒンジ基部３７ａの近傍の帯状部３３の内周面には、ヒンジ部材３７を折り込んで収納する収納部３３ａを備えている。
【００３０】
次に図４〜図８を参照しながら、蓋付き容器１０の作用、特にヒンジ部材３７の作用機構をより具体的に説明する。なお、図４〜図６がヒンジ部材３７を用いて蓋体３０と容器本体２０を連結状態で使用する実施形態であり、図７〜図８がヒンジ部材３７を蓋体内側に折り込み収納して、蓋体３０と容器本体２０を分離状態で使用する実施形態である。連結状態と分離状態は、使用者が使い勝手のよい方を適宜選択することができる。
【００３１】
まず、図４〜図６のヒンジ部材３７を使用した連結状態の実施形態について説明する。
ヒンジ部材３７は、蓋側フランジ部３４にヒンジ基部３７ａを介して一体連結しており、ヒンジ基部３７ａを支点として回動動作することができる。図４（ｃ）で破線にて示されるヒンジ不使用時に蓋体３０内側の収納部３３ａに折り込まれて収納されているヒンジ部材３７を、ヒンジ使用のために上方に起立させてヒンジ部材３７を展開させる。ヒンジ部材３７は、２つ折りができるように中央部にヒンジ溝部３７ｂを有し、その先端部にはフック部３８が形成されている。蓋側フランジ部３４のヒンジ基部３７ａからの外縁部には、ヒンジ部材３７厚みと同じ深さの窪み部３７ｃが形成されている。厚みと深さがほぼ同じであることでヒンジ部材折り込み時に蓋側フランジ部と略面一にすることができ、蓋開閉回動動作をスムーズに実行することができる。
【００３２】
ヒンジ使用のため図５に示されるように、ヒンジ部材３７を容器本体２０側に折り込んだ、ヒンジ部材３７の先端部に設けたフック部３８を容器本体２０の容器孔２６に挿入して連結させる。この時、フック部３８の先端から中央部にかけては、外側に向かって徐々にテーパ状とすると、より強固に係止することができフック部３８が不本意に容器孔２６から脱離することを抑制することができる。
【００３３】
ヒンジ部材３７を容器本体２０側に折り込んだ時に、ヒンジ部材３７の基部側が窪み部３７ｃに入り込み、入り込んだヒンジ部材３７の基部側は、窪み部３７ｃの両側端部の蓋側フランジ部３４上の第１係止片３９ａによって係止されている（図５（ｃ）参照）。
【００３４】
このようにヒンジ部材３７は、ヒンジ部材３７の先端側が容器孔２６によって係止しており、ヒンジ部材３７の基部側が第１係止片３９ａによって係止している。そのため、図６（ｂ）に示されるように、ヒンジ部材３７の中央部付近のヒンジ溝部３７ｂを支点として先端部と基部側が保持部２５上に折り重なり、蓋開閉回動動作することができる。なお、開蓋時は、容器本体２０を挟んでヒンジ部材３７と対称となる反対側の辺部に形成されているタブ３４ａの先端を指で摘みながら上方に持ち上げることによって簡単且つ確実に実行することができる。
【００３５】
次に、図７〜図８のヒンジ部材３７を蓋体内側に折り込み収納して、蓋体３０と容器本体２０を分離状態で使用する実施形態について説明する。
蓋体３０と容器本体２０を分離状態で使用する場合は、ヒンジ部材３７を用いないため蓋の開閉に邪魔にならないように、図７（ｂ）に示されるように、破線の起立状態のヒンジ部材３７を蓋体３０の内周面の収納部３３ａに折り込み、収納部３３ａのヒンジ基部３７ａとは反対側端部の第２係止片３９ｂによって（図７（ｂ）の要部拡大図参照）、ヒンジ部材３７を係止させることができる。また、第２係止片３９ｂは収納部３３ａの側端部に設けることもできる。収納部３３ａの深さが、ヒンジ部材３７の厚みとほぼ同じであることでヒンジ部材収納時に蓋体３０内周面と略面一にすることができ、蓋開閉回動動作がスムーズに実行できる。
【００３６】
ヒンジ部材３７を収納部３３ａに収納できたならば、通常通りに容器本体２０の開口端部２３を覆うように、容器側フランジ部２４に蓋側フランジ部３４を重ね合わせるように載置すると蓋体３０が閉じられる。図８（ｂ）に示される閉蓋した際に、蓋体３０の内部から飛び出ているフック部３８が大径部２２ｃにぶつからないように一部を凹ませた切欠き部２７に収めることができ、これによって蓋体３０をより確実かつ強固に容器本体２０に冠着することができる。また、切欠き部２７を長辺部分の両側中央部に形成することによって、分離使用時にフック部３８と切欠き部２７の位置合わせを気に留めることなく閉蓋することが可能となる。
【００３７】
以上、実施形態に沿って本発明の構成とその作用効果について説明したが、本発明の実施の形態は上記実施形態に限定されるものではない。
【００３８】
本発明では、蓋体３０と容器本体２０を連結状態で開蓋するための保持部２５とヒンジ部材３７を、それぞれ長辺側に設けたが、短辺側に設けても構わない。また、上記実施形態では容器本体２０を角筒状としたが、この形状に限定されるものではなく、円筒状や楕円状であっても構わない。その際、蓋体３０は容器本体２０の形状に合わせて適宜形状を変更すればよい。タブ３４ａの形状は平面視略三角形状に限定されるものではなく、例えば平面視円形状の一部を使用した形状などその他の形状から成る蓋付き容器で合っても構わない。また、タブ３４ａは蓋体３０の四つの隅部の一角に限らず二角に設けても構わない。
【産業上の利用可能性】
【００３９】
以上説明したように、本発明は、例えばバターやマーガリン等を入れる蓋付き容器の分野における用途展開をさらに広い領域で図ることができる。
【符号の説明】
【００４０】
１０  ；容器
２０  ；容器本体
２１  ；底部
２２  ；周壁
２２ａ；小径部
２２ｂ；段部
２２ｃ；大径部
２３  ；開口端部
２４  ；容器側フランジ部
２５  ；保持部
２６  ；容器孔
２７  ；切欠き部
３０  ；蓋体
３１  ；頂壁部
３２  ；曲折部
３３  ；帯状部
３３ａ；収容部
３４  ；蓋側フランジ部
３４ａ；タブ
３５  ；開封タブ
３５ａ；弱化部
３６  ；リブ
３７  ；ヒンジ部材
３７ａ；ヒンジ基部
３７ｂ；ヒンジ溝部
３７ｃ；窪み部
３８  ；フック部
３９ａ；第１係止片
３９ｂ；第２係止片
【図１】
0006584306.tif 000002
【図２】
0006584306.tif 000003
【図３】
0006584306.tif 000004
【図４】
0006584306.tif 000005
【図５】
0006584306.tif 000006
【図６】
0006584306.tif 000007
【図７】
0006584306.tif 000008
【図８】
0006584306.tif 000009